(57)【特許請求の範囲】
【請求項１】
鉄道や道路等に供する床版と、この床版側部に立設する壁体と、この床版上に高さ調整部材を用いながら敷設し、底面を挿通するアンカーボルトで床版に固定するプレキャストコンクリート製のケーブル収納用ダクトとを有するケーブル収納用ダクト装置において、前記高さ調整部材は、アンカーボルト締結部に配設してグラウト材収納用開口部を開設するゴム沓と、アンカーボルト締結部より離隔した位置のダクト底面に設ける雌ネジと、ダクト据付時にこの雌ネジに螺着して高さ調整を行った後、ダクト底面に穿設して前記グラウト材収納用開口部の上方に位置する注入孔よりグラウト材の注入を行い硬化した後に雌ネジより取り外すネジ体を有し、前記床版は、前記壁体側から床版中央に向って排水勾配を有し、隣接する前記ゴム沓間に排水空間を設けることを特徴とするケーブル収納用ダクト装置。
【請求項２】
前記壁体は、下部に段部を設け、この壁体より離隔して敷設する前記ケーブル収納用ダクトは、壁体側の側壁と前記段部との間に蓋体を架設することで前記ダクトと壁体間に新たなケーブル収納空間を形成することを特徴とする請求項１記載のケーブル収納用ダクト装置。
【発明の詳細な説明】
【０００１】
【発明の属する技術分野】
この発明は、鉄道や道路等に供する床版上に敷設して通信ケーブル等を収納するプレキャストコンクリート製のケーブル収納用ダクト装置に関するものである。
【０００２】
【従来の技術】
鉄道や道路等に供する床版、例えば新幹線の高架橋におけるスラブには、その側部に防音壁等の壁体が構築され、これに沿ってダクトが設置されており、このダクト内には各種の電線や通信線、配管等が収納されている。従来のダクトは、図６に示すような断面略Ｗ字形のプレキャストコンクリート製であって、ダクト１０１の底部下面に敷モルタルやゴム板等の高さ調整部材１２１を介在させて床版１０６上に載置していた。
【０００３】
ダクト１０１は上面に蓋板１０５，１０９を着脱自在に載置して通信ケーブル１０８等のメンテナンスが容易に行えるようにすると同時に、ダクト１０１の底部内面１１１に防音壁１０７側から床版中央に向って勾配を形成し、蓋体１０５，１０９の隙間から内部に浸入する雨水を所定間隔で開設する水抜き穴１２０より速やかに外部に排水していた。
【０００４】
又従来のダクトにおける床版への固定方法は、一般に次のように行っていた。先ず床版に所定間隔でアンカーボルトを打設し、ボルト頭部をダクト底部に設ける固定金具の孔に挿通し、ナットを締め付けて床版に固定した後、固定金具の上面にモルタルを充填してボルト頭部を保護していた。
【０００５】
【発明が解決しようとする課題】
ところがこのような従来のダクト構造及びその固定方法においては以下のような問題点があった。先ず、ダクトの軸方向における高さ調整は、アンカーボルト部等の位置でダクト底部と床版の間に挟み込むゴム板で行っていたが、ゴム板の厚さが限定されていたため精度良い高さ調整は困難であったし、ダクト側壁の倒れ調整は殆どできなかった。
【０００６】
又、従来のダクトは、床版との間に略全面に亘りゴム板やモルタルを介在させる構成が一般的であったが、水平に形成した床版にはどうしても不陸が存在するため、降水後のダクト底部の湿潤状態は避け難い構造であったのに加え、アンカーボルトの床版上突出部分の大半が大気中に露出する構造であったため、アンカーボルトの腐食が著しくなるという欠点があった。又寒冷地においてはこのようなダクト底部の滞水が外気温の低下によって凍結し、凍上の圧力でダクトにひび割れ等の損傷が発生してしまう恐れがあった。
【０００７】
この発明は、上記のような従来のケーブル収納用ダクト及びその固定方法が有する問題点を解消すべくなされたものであり、ダクト据付精度の向上を目指し、アンカーボルトの防錆を図ると共にダクト本体の耐久性の向上をも図れるケーブル収納用ダクト装置を提供することを目的としている。
【０００８】
【課題を解決するための手段】
上記課題を解決するため、この発明のケーブル収納用ダクト装置は、鉄道や道路等に供する床版と、この床版側部に立設する壁体と、この床版上に高さ調整部材を用いながら敷設し、底面を挿通するアンカーボルトで床版に固定するプレキャストコンクリート製のケーブル収納用ダクトとを有するケーブル収納用ダクト装置において、前記高さ調整部材は、アンカーボルト締結部に配設してグラウト材収納用開口部を開設するゴム沓と、アンカーボルト締結部より離隔した位置のダクト底面に設ける雌ネジと、ダクト据付時にこの雌ネジに螺着して高さ調整を行った後、ダクト底面に穿設して前記グラウト材収納用開口部の上方に位置する注入孔よりグラウト材の注入を行い硬化した後に雌ネジより取り外すネジ体を有し、前記床版は、前記壁体側から床版中央に向って排水勾配を有し、隣接する前記ゴム沓間に排水空間を設けることを特徴とするものである。
【０００９】
ゴム沓は耐寒性に優れ、排水空間として床版からダクト底部までの高さが１０mm程度は確保でき、開口部に充填するグラウト材が破壊された場合にも単独でダクト荷重を支持し得る素材を選定する。なお、グラウト材はゴム沓に側部が拘束されているため破壊しても飛び散る恐れは無い。
【００１０】
グラウト材は、例えば間隙充填用のポリマーセメントを用いアンカーボルト突出部の防錆を図る。雌ネジはダクト荷重が支持可能な間隔で一箇所当たりダクト横断方向に少なくとも２本以上設け、螺着するネジ体の先端を床版に当接してその捻じ込み長さを加減することでダクトの軸方向及び横断方向の高さ調整を行う。
【００１１】
請求項２記載のケーブル収納用ダクト装置における壁体は、下部に段部を設け、この壁体より離隔して敷設する前記ケーブル収納用ダクトは、壁体側の側壁と前記段部との間に蓋体を架設することで前記ダクトと壁体間に新たなケーブル収納空間を形成することを特徴とするものである。壁体には蓋体架設用の段部を設け、ダクトと壁体間の床版にも中央側への排水勾配を設ける。
【００１２】
【発明の実施の形態】
次にこの発明の実施の形態を添付図面に基づき詳細に説明する。図１はケーブル収納用ダクトの平面図、図２及び図３は床版に設置したダクトの横断面図及び縦断面図を夫々示す。ダクト１は、断面略Ｕ字形状のプレキャストコンクリート製であって、床版中央側の側壁２には段部３を設け、対向する側壁４の頂部に取外し可能な蓋体５を架け渡す。
【００１３】
ダクト１は、鉄道や道路等に供する床版６の側部に立設する壁体７から所定距離離隔した位置に壁体７と平行に設置し、壁体下部に設ける段部８と壁体側の側壁４との間に別の蓋体９を架設することで新たなケーブル収納空間１０を形成する。
【００１４】
ダクト底面１１には所定間隔、例えば１．５ｍピッチで固定金具１２を埋設する。固定金具１２は定着プレート１３と図示しない鋼棒よりなるアンカーからなり、プレート１３の中央にはアンカーボルト１４挿通用の長孔１３ａを穿設し、その上方には充填材１５を収容する凹部１６を形成する。この凹部１６の横断方向側部にはグラウト材１７の注入孔１８を開設し、軸方向に離隔した位置にはインサートによる雌ネジ１９を埋設する。又床版中央側の側壁２の下部には水抜き孔２０を設ける。なお、ダクト底面１１は側壁２に向って勾配を設けておく。
【００１５】
ダクト１を据え付ける際には、予め決められた線形を基に測量を行い、ドリルによる削孔部に樹脂系接着剤を注入してアンカーボルト１４を打ち込み、その周囲にゴム沓２１を載置する。ここでゴム沓２１は図４に示すように中央にグラウト材収納用の長円開口部２１ａを開設するもので低温時性能に優れる材質、例えばエチレンプロピレンゴム（ＥＰＤＭ）を用いる。
【００１６】
製作ヤードで作製したダクト１をトラッククレーン等の揚重機器にて床版６上に吊り上げた後、簡易吊装置等を用いて微調整しながら所定の位置に載置する。次に図５に示すように雌ネジ１９に高さ調整ボルト２２を捻じ込み、高さ及び転びを修正しながら通り調整を行う。その後アンカーボルト１４を固定金具１２に締め付け、注入孔１８よりグラウト材１７の注入を行いゴム沓２１の長円開口部２１ａを充填し、更に凹部１６に充填材１５を投入して表面仕上げを行う。所定の養生期間終了後、高さ調整ボルト２２を撤去し当該雌ネジ部１９を適宜穴埋め処理する。
【００１７】
ダクト１を設置する床版６は、壁体７側から床版中央に向って排水勾配が形成されており、図３に示すように隣接するゴム沓２１，２１間には排水空間２３が開設されている。従って新たなケーブル収納空間１０に浸入した雨水は直ちにダクト１の外部に排出されることになる。
【００１８】
なお、多量の降雪等で下流の排水が滞った場合には、このような勾配付の床版６であっても滞水が生じ、気温低下によりダクト１と床版６との隙間の水が凍結してしまう恐れがある。しかし、このように両側部が開放された排水空間２３を設けると凍上圧力が速やかに側部に逃げるため、アンカーボルト１４やダクト１本体には過剰な応力が発生しない。
【００１９】
【発明の効果】
以上説明したように、この発明のケーブル収納用ダクト装置は、高さ調整部材にダクト底面の雌ネジに螺合するネジ体を設けるので、ダクトの軸方向及び横断方向の高さ調整が的確に行えダクトの据付精度が向上する。又、ゴム沓の開口部にグラウト材を注入し、このグラウト材でアンカーボルトの突出部を密閉するのでアンカーボルトの防錆が図れる。
【００２０】
又、ダクトを設置する床版が床版中央に向って排水勾配を有し、隣接するゴム沓間に排水空間を設けるので、降水後のダクト底部の湿潤状態を避けることができる。従ってアンカーボルトの防錆効果もより向上すると共に凍上による損傷も無くなり、アンカーボルト及びダクト本体の耐久性が向上する。
【００２１】
請求項２記載のケーブル収納用ダクト装置は、ダクトと壁体間に新たなケーブル収納空間を形成するので、ダクト部材の製作コストや施工コストが大幅に低下する。
【図面の簡単な説明】
【図１】ケーブル収納用ダクトの平面図である。
【図２】床版に設置したダクトの横断面図である。
【図３】床版に設置したダクトの縦断面図である。
【図４】ゴム沓の平面図である。
【図５】高さ調整ボルトを捻じ込んだダクトの横断面図である。
【図６】従来のダクトを床版に設置した横断面図である。
【符号の説明】
１  ダクト
６  床版
７  壁体
１０  ケーブル収納空間
１１  ダクト底面
１２  固定金具
１４  アンカーボルト
１７  グラウト材
１８  注入孔
１９  雌ネジ
２１  ゴム沓
２１ａ  長円開口部
２２  高さ調整ボルト
２３  排水空間
【図１】
0003936864.tif 000002
【図２】
0003936864.tif 000003
【図３】
0003936864.tif 000004
【図４】
0003936864.tif 000005
【図５】
0003936864.tif 000006
【図６】
0003936864.tif 000007